(57)【要約】本発明の照明装置１２は、複数の光源１７と、前記複数の光源１７間の電流バランスを調整する調整回路５０と、前記調整回路５０を通じて前記光源１７に駆動電力を供給する駆動回路４０とを含み、前記調整回路５０は、第１基板３１と、前記第１基板３１に隣接して配される第２基板３２とに少なくとも二分して形成され、前記第１基板３１には、前記調整回路５０とともに前記駆動回路４０が形成されてなることを特徴とする。
2009093363.tif 000002
【特許請求の範囲】
【請求項１】
複数の光源と、前記複数の光源間の電流バランスを調整する調整回路と、前記調整回路を通じて前記光源に駆動電力を供給する駆動回路とを含み、
前記調整回路は、第１基板と、前記第１基板に隣接して配される第２基板とに少なくとも二分して形成され、
前記第１基板には、前記調整回路とともに前記駆動回路が形成されてなることを特徴とする照明装置。
【請求項２】
前記光源は線状光源とされ、
前記第１基板及び前記第２基板は、前記線状光源の端部と重畳する位置に配置されてなることを特徴とする請求の範囲第１項に記載の照明装置。
【請求項３】
前記第１基板は、前記線状光源の一方の端部に重畳した位置と他方の端部に重畳した位置とにそれぞれ配置されてなり、
前記線状光源の一方の端部に重畳した位置に配置された前記第１基板と、前記線状光源の他方の端部に重畳した位置に配置された前記第１基板とに形成された前記駆動回路同士は、互いの電力供給を同期するための信号を送信する同期信号線により接続されてなることを特徴とする請求の範囲第２項に記載の照明装置。
【請求項４】
前記光源を収容するシャーシを備え、
前記第１基板及び前記第２基板は前記シャーシに取り付けられてなるとともに、
前記同期信号線は、前記シャーシに接触した状態で引き廻されてなることを特徴とする請求の範囲第３項に記載の照明装置。
【請求項５】
前記第１基板及び前記第２基板に配され、前記駆動回路と前記光源との電気的接続状態を形成するための複数のコネクタを有し、
前記コネクタは、直線をなす配列線上にある任意のコネクタに対して、この任意のコネクタと隣り合う２つのコネクタのうち少なくとも一つのコネクタが、前記配列線上からずれて配されてなることを特徴とする請求の範囲第１項から請求の範囲第４項のいずか１項に記載の照明装置。
【請求項６】
前記コネクタは、任意のコネクタと、この任意のコネクタと隣り合う２つのコネクタとが、互い違いの位置に配されてなることを特徴とする請求の範囲第５項に記載の照明装置。
【請求項７】
前記コネクタは、それぞれが交互に配されてなることを特徴とする請求の範囲第５項又は請求の範囲第６項に記載の照明装置。
【請求項８】
前記コネクタは、前記第１基板及び前記第２基板に取り付けられた第１コネクタと、前記第１コネクタに対して前記第１基板及び前記第２基板の基板面と交わる方向に着脱自在にされてなる第２コネクタと、を有することを特徴とする請求の範囲第５項から請求の範囲第７項のいずれか１項に記載の照明装置。
【請求項９】
請求の範囲第１項から請求の範囲第８項のいずれか１項に記載の照明装置と、
前記照明装置からの光を利用して表示を行う表示パネルと、を備えることを特徴とする表示装置。
【請求項１０】
前記表示パネルが液晶を用いた液晶パネルであることを特徴とする請求の範囲第９項に記載の表示装置。
【請求項１１】
請求の範囲第９項又は請求の範囲第１０項に記載の表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要とする。このバックライト装置は、液晶パネルの裏側（表示面とは反対側）に設置されるようになっており、金属製や樹脂製で液晶パネル側の面が開口したシャーシと、シャーシ内に収容される多数本の光源たる蛍光管（例えば冷陰極管）と、蛍光管の点灯挙動を制御するインバータ基板とを備える。【０００３】
インバータ基板は、一般に、蛍光管を駆動させるための駆動電力を出力する高圧出力部と、蛍光管間の電流バランスを調整するためのバラストコンデンサとを備える。従来、高圧出力部を備える駆動回路と、バラストコンデンサを備える調整回路とは、離間した別個の基板に配置されていた。このような構成の場合、高圧出力部から出力された駆動電力は、バラストコンデンサを介して蛍光管に供給されるため、高圧出力部を配置した基板からバラストコンデンサを配置した基板に、送電用の高圧線を引き廻す必要がある。【０００４】
上記した高圧線は、高圧電流が送電されており、周囲へのリークを抑止するために、絶縁体で被覆されるとともに、周囲の部材との間に所定の間隔を設ける必要がある。そのため、高圧線の引き廻しは、液晶表示装置の薄型化を阻害する要因となる。また、高圧線の引き廻し長さが大きくなると電力損失が生じ易く、蛍光管の輝度低下或いは輝度むらが発生する場合がある。さらには、高圧線の引き廻し長さが大きいことにより、当該高圧線が破損する可能性が相対的に大きくなり、周囲へのリークが生じるおそれも大きくなる。このような課題を解決すべく、高圧線の引き廻し長さを相対的に小さくしたバックライト装置として特許文献１に開示のものが知られている。【０００５】
特許文献１に開示のバックライト装置は、全長の長い蛍光管および全長の短い蛍光管を配置したバックライト装置において、当該蛍光管とインバータ回路とを接続する際に全長の異なる蛍光管それぞれとインバータ回路における一つのトランスの高圧出力部とをバラストコンデンサを介して並列に接続し、全長の長い蛍光管に接続されているバラストコンデンサの容量を全長の短い蛍光管に接続されているバラストコンデンサの容量に比べて大きく調節するものとされている。すなわち、一つの基板上において、高圧出力部と、容量を調整可能なバラストコンデンサとを接続し、蛍光管の全長に合わせてバラストコンデンサの容量を調節する構成とされている。このように一つの基板上において高圧出力部とバラストコンデンサとを接続しているため、両者の間の距離を小さくでき、これらを接続する高圧線の長さを小さくすることが可能となり、電力損失が生じ難いとともに高い安全性を確保することが可能となる。さらにバラストコンデンサと蛍光管とを接続する高圧線において生じる電力損失を、バラストコンデンサの容量を調節することで補完することができるため、蛍光管の輝度むらを抑止することができる。
【特許文献１】特開２００１−３０７５３１公報
【０００６】
（発明が解決しようとする課題）
ところで、近年、液晶表示装置の大きさは、ニーズに合わせて多様化してきており、特に大型化された液晶表示装置の開発が進められている。大型の液晶表示装置では、輝度分布の均一性を確保するために、液晶パネルの直下に蛍光管が多数本配置される構成、いわゆる直下型の構成が望ましい。このように多数本の蛍光管を配置する場合には、蛍光管間の電流バランスを調整するため、当該蛍光管と同一数のバラストコンデンサを配置する必要がある。【０００７】
しかしながら、大型化に伴って多数本の蛍光管を配置する場合には、バラストコンデンサと蛍光管との間の距離、若しくはバラストコンデンサと高圧出力部との間の距離が大きくなり、これらを接続する高圧線の長さを大きいものとしなければならない。さらに、多様な大きさの液晶表示装置においては蛍光管の配置数も多様化し、当該蛍光管の配置数に対応した数のバラストコンデンサを配置するために、高圧出力部及びバラストコンデンサを配置した基板を大きさの異なる液晶表示装置ごとに準備する必要がある。ところが、特許文献１に開示されたような従来の構成では、そのような蛍光管の配置数の設計に応じて、インバータ回路を含む基板を全て別個に設計する必要があり、当該液晶表示装置のコストアップに繋がることとなる。
【発明の開示】
【０００８】
本発明は、上記のような事情に基づいてなされたものであって、高圧線を引き廻すことなく、配置される光源の数が異なる場合にも適用可能な回路基板を用いることにより、高い安全性を確保しつつコスト削減に寄与することが可能な照明装置を提供することを目的としている。また、本発明は、そのような照明装置を備えた表示装置、さらに、そのような表示装置を備えたテレビ受信装置を提供することを目的としている。
【０００９】
（課題を解決するための手段）
上記課題を解決するために、本発明の照明装置は、複数の光源と、前記複数の光源間の電流バランスを調整する調整回路と、前記調整回路を通じて前記光源に駆動電力を供給する駆動回路とを含み、前記調整回路は、第１基板と、前記第１基板に隣接して配される第２基板とに少なくとも二分して形成され、前記第１基板には、前記調整回路とともに前記駆動回路が形成されてなることを特徴とする。
【００１０】
このような構成によれば、調整回路と駆動回路とが同一基板（第１基板）に設けられているため、調整回路と駆動回路とを接続する高圧線を別基板間で引き廻す必要がなく、周囲へのリーク等が生じるおそれがない。
例えば、駆動回路と調整回路とを互いに離間した基板に別個に形成すると、駆動回路から調整回路に光源の駆動電力を供給するための高圧線を引き廻す必要がある。高圧線を引き廻すと周囲へのリークが懸念され、そのリークを抑止するためには、当該高圧線は、絶縁体で被覆し、周囲の部材との間に所定の間隔を設ける必要がある。しかしながら、本発明の構成によれば、調整回路と駆動回路とが同一の基板に形成されているため、両者を接続する高圧線を引き廻す必要がない。
さらに、第１基板及び第２基板は隣接するものとされているため、これらを接続する高圧線も最小限の長さに留めることができる。ここで隣接とは、第１基板及び第２基板が対向辺で接触している状態、或いは僅かに離間している状態を指し、両者を接続する高圧線から周囲の部材へリークが生じない状態をさしている。これにより、高い安全性が確保されるとともに、当該照明装置を薄型化することで構成部材が比較的密集した状態にされる場合にも、高圧線の周囲に設けるべき空間を省略ないし削減することができるため、各構成部材の配置を高い自由度で設計することが可能となる。
【００１１】
また、調整回路は、複数の光源間の電流バランスを調整する機能を有するものであり、光源の単位数毎に一対一の調整回路が必要で、光源の異なる配置パターン（例えば配置数）に対しては、それぞれに対応したパターンに形成された調整回路が必要とされる。しかしながら、本発明の構成によれば調整回路を第１基板と第２基板とに少なくとも二分して形成することにより、当該照明装置の大きさに応じて光源の配置数が変化する場合には、第２基板のみを調整回路のパターンが異なる別の基板に取り替えることで対応することができる。すなわち、調整回路及び駆動回路が形成された第１基板は、当該照明装置の大きさに拘らず使い回すことができ、コスト削減に寄与することが可能となる。
【００１２】
また、本発明の照明装置において、前記光源は線状光源とされ、前記第１基板及び前記第２基板は、前記線状光源の端部と重畳する位置に配置されてなるものとすることができる。
このような構成によれば、線状光源の端部と第１基板及び第２基板との間の距離が最小限のものとなり、線状光源の端部と各基板とを接続する接続部材の長さを小さいものとすることができる。これにより、コスト削減に寄与するとともに、周囲へのリーク等が生じ難く高い安全性を確保することが可能となる。
【００１３】
また、前記第１基板は、前記線状光源の一方の端部に重畳した位置と他方の端部に重畳した位置とにそれぞれ配置されてなり、前記線状光源の一方の端部に重畳した位置に配置された前記第１基板と、前記線状光源の他方の端部に重畳した位置に配置された前記第１基板とに形成された前記駆動回路同士は、互いの電力供給を同期するための信号を送信する同期信号線により接続されてなるものとすることができる。
【００１４】
このような構成によれば、別個の駆動回路から出力された駆動電力は、その電力量や供給のタイミング等が所定規則に従って、線状光源のそれぞれの端部に供給されることとなる。例えば、１本の線状光源の両端部に、等しいタイミングで等しい電力量を供給するよう別個の駆動回路の電力供給を同期することで、当該線状光源を均一な輝度で点灯することができ、ひいては当該照明装置の照明輝度分布を均一化することが可能となる。
【００１５】
また、本発明の照明装置は、前記光源を収容するシャーシを備え、前記第１基板及び前記第２基板は前記シャーシに取り付けられてなるとともに、前記同期信号線は、前記シャーシに接触した状態で引き廻されてなるものとすることができる。
同期信号線は微弱な電流が送電されるものであるため、周囲の部材との間に所定の間隔を設ける必要がなく、シャーシに接触した状態で引き廻すことができる。このように、同期信号線は周囲の部材との配置態様を考慮する必要がないため、高い自由度で配線設計をすることができ、特に当該照明装置を薄型化する場合に好適である。
【００１６】
また、前記第１基板及び前記第２基板に配され、前記駆動回路と前記光源との電気的接続状態を形成するための複数のコネクタを有し、前記コネクタは、直線をなす配列線上にある任意のコネクタに対して、この任意のコネクタと隣り合う２つのコネクタのうち少なくとも一つのコネクタが、前記配列線上からずれて配されてなるものとすることができる。
【００１７】
このように、直線をなす配列線上にある任意のコネクタと隣り合う２つのコネクタのうち少なくとも一方を前記配列線からずれた位置に配列することにより、任意のコネクタと、これと隣り合う２つのコネクタとが同一直線上に位置することがなくなり、これらコネクタを一列に配した場合に比して、当該隣り合うコネクタ同士の間隔を大きくすることができ、作業性及び安全性を確保することが可能となる。
コネクタは、第１基板及び第２基板と、光源とを電気的に接続する機能を担うため、光源の配置に対応してコネクタの配置も決定される。ここで、高輝度かつ高均一性等の優れた照明光を得るためには、多数の光源を密に配置することが望ましく、光源同士の間隔が狭いものとなるのに伴い、光源に対応して配されるコネクタ同士も、電力供給基板上の配置可能な範囲が限られているため、互いの間隔が狭いものとなる。その結果、コネクタを第１基板及び第２基板に取り付ける際に、先に取り付けた隣のコネクタが干渉することとなり、当該取付作業が困難なものとなる。さらに、隣り合うコネクタ同士の距離が小さい場合には、コネクタ間で放電が生じてしまうおそれもある。
しかしながら、本発明の照明装置によれば、任意のコネクタと、これと隣り合う２つのコネクタとを同一直線上に配していないため、光源を密に配置する場合にも、これらコネクタ同士の間隔を比較的大きいものとすることができ、当該コネクタの取付作業を容易にすることができるとともに、コネクタ間の放電を抑止することが可能となる。
【００１８】
なお、コネクタの配置関係としては、任意のコネクタと、この任意のコネクタと隣り合う２つのコネクタとが、互い違いの位置に配されてなることが好ましい。さらには、それぞれが交互に配されてなることが好ましい。このような構成により、一層コネクタ同士の間隔を限られたスペース内で大きく確保することが可能となる。
【００１９】
また、前記コネクタは、前記第１基板及び前記第２基板に取り付けられた第１コネクタと、前記第１コネクタに対して前記第１基板及び前記第２基板の基板面と交わる方向に着脱自在にされてなる第２コネクタと、を有するものとすることができる。
【００２０】
このような構成のコネクタによれば、第１基板と第２基板とを取り付ける際には、第１基板及び第２基板に取り付けられた第１コネクタに対して、第２コネクタを把持して当該第１基板及び第２基板の基板面と交わる方向から近づけていくこととなる。特に手作業で当該取付作業を行う場合には、第２コネクタの縁部を指で把持することとなる。この場合、隣り合うコネクタ同士の距離が小さいと、第２コネクタを近づけていく際に、先に取り付けた隣のコネクタと、第２コネクタ又はそれを把持する指とが干渉して取付作業を阻害することとなる。また、第１コネクタから第２コネクタを外す際にも、第２コネクタの縁部を把持する必要があり、隣のコネクタが干渉することとなる。
しかしながら、本発明の照明装置によれば、コネクタ同士の距離を相対的に大きくしているため、上記の第１コネクタと第２コネクタとの脱着作業を行う場合に、隣のコネクタが干渉することなく、容易に取付作業を行うことが可能となる。
【００２１】
次に、上記課題を解決するために、本発明の表示装置は、上記記載の照明装置と、前記照明装置からの光を利用して表示を行う表示パネルと、を備えることを特徴とする。
このような表示装置によると、高い安全性を確保しつつコストを削減した照明装置を用いてなるため、当該表示装置おいても安全性とコスト削減とを両立することが可能となる。
【００２２】
前記表示パネルとしては液晶パネルを例示することができる。このような表示装置は液晶表示装置として、種々の用途、例えばテレビやパソコンのデスクトップ画面等に適用でき、特に大型画面用として好適である。
【００２３】
また、本発明のテレビ受信装置は、上記表示装置を備えることを特徴とする。
このようなテレビ受信装置によると、高い安全性とコスト削減とが実現された表示装置を用いてなるため、低価格で安全性の高い装置を提供することが可能となる。
【００２４】
（発明の効果）
本発明の照明装置によると、高圧線を引き廻すことなく、配置される光源の数が異なる場合にも適用可能な回路基板を用いることにより、特に当該照明装置が薄型化された場合においても高い安全性を確保しつつコスト削減に寄与することが可能となる。また、本発明の表示装置によると、そのような照明装置を用いてなるため、当該表示装置が特に薄型化された場合においても安全性の確保とコスト削減とを両立することが可能となる。また、本発明のテレビ受信装置によると、そのような表示装置を用いてなるため、当該テレビ受信装置が特に薄型化された場合においても、低価格で安全性の高い装置を提供することが可能となる。
【図面の簡単な説明】
【００２５】
【図１】本発明の実施形態１に係るテレビ受信装置の概略構成を示す分解斜視図。
【図２】図１のテレビ受信装置が備える液晶表示装置の概略構成を示す分解斜視図。
【図３】図２の液晶表示装置の短辺方向に沿った断面構成を示す断面図。
【図４】図２の液晶表示装置の長辺方向に沿った断面構成を示す断面図。
【図５】図２の液晶表示装置に備わるインバータ基板の概略構成を示す平面図。
【図６】図５のインバータ基板のうち第１基板の構成を示す平面図。
【図７】図５のインバータ基板のうち第２基板の構成を示す平面図。
【図８】図７の第２基板と取替え可能な基板の構成を示す平面図。
【図９】本発明の実施形態２に係るバックライト装置に備わるインバータ基板の構成を示す平面図。
【図１０】図９のインバータ基板のうち第１基板の構成を示す平面図。
【図１１】図９のインバータ基板のうち第２基板の構成を示す平面図。
【図１２】図９のインバータ基板に配置されたコネクタを構成する第１コネクタの上面図。
【図１３】図１２の第１コネクタの側面図。
【図１４】コネクタを構成する第２コネクタの下面図。
【図１５】図１４の第２コネクタの側面図。
【図１６】インバータ基板を構成する第１基板及び第２基板の配置態様の一変形例を示す平面図。
【図１７】コネクタの配置態様の一変形例を示す平面図。
【図１８】コネクタの配置態様の一変形例を示す平面図。
【符号の説明】
【００２６】
１０…液晶表示装置（表示装置）、１１…液晶パネル（表示パネル）、１２…バックライト装置（照明装置）、１４…シャーシ、１７…冷陰極管（光源）、３１…第１基板、３２…第２基板、４０…駆動回路、４４…同期信号線、５０…調整回路、９０…コネクタ、９１…第１コネクタ、９２…第２コネクタ、ＴＶ…テレビ受信装置
【発明を実施するための最良の形態】
【００２７】
＜実施形態１＞
本発明の実施形態１を図１ないし図８によって説明する。
まず、液晶表示装置１０を備えたテレビ受信装置ＴＶの構成について説明する。
図１は本実施形態のテレビ受信装置の概略構成を示す分解斜視図、図２は図１のテレビ受信装置が備える液晶表示装置の概略構成を示す分解斜視図、図３は図２の液晶表示装置の短辺方向に沿った断面構成を示す断面図、図４は図２の液晶表示装置の長辺方向に沿った断面構成を示す断面図である。【００２８】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長の方形を成し、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。【００２９】
次に、液晶表示装置１０を構成する液晶パネル１１及びバックライト装置１２について説明する（図２ないし図４参照）。
液晶パネル（表示パネル）１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが取り付けられている（図３及び図４参照）。【００３０】
バックライト装置１２は、図２に示すように、光出射面側（液晶パネル１１側）に開口した略箱型をなすシャーシ１４と、シャーシ１４の開口部１４ｂを覆うようにして取り付けられる拡散板１５ａと、拡散板１５ａと液晶パネル１１との間に配される複数の光学シート１５ｂと、シャーシ１４の長辺に沿って配され拡散板１５ａの長辺縁部をシャーシ１４との間で挟んで保持するフレーム１６とを備える。さらに、シャーシ１４内には、冷陰極管（光源）１７と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とを備える。なお、当該バックライト装置１２においては、冷陰極管１７よりも拡散板１５ａ側が光出射側となっている。【００３１】
シャーシ１４は、金属製の板状部材が板金成形されたものとされ、矩形平板状の底部１４ａと、その各辺から立ち上がり略Ｕ字状に折り返された外縁部２１（短辺方向の短辺外縁部２１ａ及び長辺方向の長辺外縁部２１ｂ）とからなる深さ８ｍｍの略箱型をなしている。シャーシ１４の底部１４ａには、その長辺方向の両端部に、中継コネクタ１９を取り付けるための取付孔２２が複数穿設されている。さらに、シャーシ１４の長辺外縁部２１ｂの上面には、図３に示すように、固定孔１４ｃが穿設されており、例えばネジ等によりベゼル１３、フレーム１６、及びシャーシ１４等を一体化することが可能とされている。【００３２】
シャーシ１４の底部１４ａの内面側（冷陰極管１７と対向する面側）には反射シート２３が配設されている。反射シート２３は、合成樹脂製とされ、その表面が反射性に優れた白色とされており、シャーシ１４の底部１４ａの内面に沿ってそのほぼ全域を覆うように敷かれている。当該反射シート２３の長辺縁部は、図３に示すように、シャーシ１４の長辺外縁部２１ｂを覆うように立ち上がり、シャーシ１４と拡散板１５ａとに挟まれた状態とされている。この反射シート２３により、冷陰極管１７から出射された光を拡散板１５ａ側に反射させることが可能となっている。一方、シャーシ１４の底部１４ａの外面側（冷陰極管１７とは反対側）にはインバータ基板３０が形成され、冷陰極管１７への電力供給を行っている。【００３３】
一方、シャーシ１４の開口部１４ｂ側には拡散板１５ａ及び光学シート１５ｂが配設されている。拡散板１５ａは、合成樹脂製の板状部材に光散乱粒子が分散配合されてなり、管状光源たる冷陰極管１７から出射される線状の光を拡散する機能を有する。拡散板１５ａの短辺縁部は上記したようにホルダ２０の第１面２０ａ上に載置されており、上下方向の拘束力を受けないものとされている。一方、拡散板１５ａの長辺縁部は、図３に示すように、シャーシ１４（反射シート２３）とフレーム１６とに挟まれることで固定されている。【００３４】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能を有する。当該光学シート１５ｂの上面側には液晶パネル１１が設置され、当該光学シート１５ｂは拡散板１５ａと液晶パネル１１とにより挟持されている。【００３５】
冷陰極管１７は、細長い管状をなしており、その長さ方向（軸方向）をシャーシ１４の長辺方向と一致させた状態で、かつ多数本（本実施形態では２０本）が互いに平行に並んだ状態でシャーシ１４内に収容されている（図２参照）。これら冷陰極管１７の各端部には駆動電力を受容する端子（図示せず）が備えられ、当該端部が中継コネクタ１９に嵌め込まれ、これら中継コネクタ１９を被覆するようにホルダ２０が取り付けられている。【００３６】
なお、本実施形態で用いた冷陰極管１７は管径が４．０ｍｍ、冷陰極管１７と反射シート２３との間の距離が０．８ｍｍ、隣り合う冷陰極管１７間の距離が１６．４ｍｍ、冷陰極管１７と拡散板１５ａとの距離が２．７ｍｍとされている。このようにバックライト装置１２では各構成部材間で薄型化が図られており、特に冷陰極管１７と拡散板１５ａとの距離、冷陰極管１７と反射シート２３との距離を小さくしている。そして、このようなバックライト装置１２の薄型化により、液晶表示装置１０の厚さ（つまり液晶パネル１１の表面からバックライト装置１２の裏面に至る厚さ）が１６ｍｍ、テレビ受信装置ＴＶの厚さ（つまり表側キャビネットＣａの表面から裏側キャビネットＣｂの裏面に至る厚さ）が３４ｍｍとされ、薄型のテレビ受信装置が実現されている。【００３７】
冷陰極管１７の端部を覆うホルダ２０は、白色を呈する合成樹脂製とされ、シャーシ１４の短辺方向に沿って延びる細長い略箱型をなしている。当該ホルダ２０は、図４に示すように、その表面側に拡散板１５ａないし液晶パネル１１を段違いに載置可能な階段状面を有するとともに、シャーシ１４の短辺外縁部２１ａと一部重畳した状態で配されており、短辺外縁部２１ａとともに当該バックライト装置１２の側壁を形成している。ホルダ２０のうちシャーシ１４の折返し外縁部２１ａと対向する面からは挿入ピン２４が突出しており、当該挿入ピン２４がシャーシ１４の短辺外縁部２１ａの上面に形成された挿入孔２５に挿入されることで、当該ホルダ２０はシャーシ１４に取り付けられるものとされている。
ホルダ２０の階段状面はシャーシ１４の底部１４ａと平行な３面からなり、最も低い位置にある第１面２０ａには拡散板１５ａの短辺縁部が載置されている。さらに、第１面２０ａからは、シャーシ１４の底部１４ａに向けて傾斜する傾斜カバー２６が延出している。ホルダ２０の階段状面の第２面２０ｂには、液晶パネル１１の短辺縁部が載置されている。ホルダ２０の階段状面のうち最も高い位置にある第３面２０ｃは、シャーシ１４の短辺外縁部２１ａと重畳する位置に配され、ベゼル１３と接触するものとされている。【００３８】
次に、シャーシ１４の裏面側に配されたインバータ基板３０について、図５ないし図７を用いて説明する。
図５はインバータ基板の概略構成を示す平面図、図６はインバータ基板のうち第１基板の構成を示す平面図、図７はインバータ基板のうち第２基板の構成を示す平面図である。
インバータ基板３０は、上述した通り、シャーシ１４の底部１４ａの裏面側（冷陰極管１７が配される側とは反対側）に取り付けられてなり、冷陰極管１７に駆動電力を供給しその点灯挙動を制御する機能を有する。【００３９】
インバータ基板３０は、図５に示すように、矩形状の第１基板３１と、当該第１基板３１に比して細長い矩形状をなす第２基板３２とから構成され、第１基板３１及び第２基板３２は僅かな隙間を空けて隣り合う形で、シャーシ１４の長辺方向の両端部（冷陰極管１７の両端部と重畳する部位）に配されている。なお本実施形態では、シャーシ１４の長辺方向のそれぞれの端部に配された第１基板３１及び第２基板３２同士が、シャーシ１４の対角線上、すなわちシャーシ１４の異なる長辺側にそれぞれ配置されている。【００４０】
第１基板３１は、その長手方向をシャーシ１４の長辺方向と同じくした形で配置されており、当該第１基板３１には、図６に示すように、駆動回路４０と調整回路５０ａとが形成されている。駆動回路４０は、第１基板３１のうちシャーシ１４の中央部側に形成され、冷陰極管１７の駆動電力の出力を制御するために、所定の周波数を発生させるように制御信号を送る制御回路４１と、この制御信号に基づいて後述する高圧出力部４３に流れる電流の向きを切り替えるために駆動電力の供給の切替えを行うスイッチング回路４２と、入力電圧より高電圧に変調された駆動電力を出力する高圧出力部４３とからなる。当該駆動回路４０から出力された駆動電力は、基板上のパターンを通じて調整回路５０ａへ送電されている。【００４１】
調整回路５０ａは、第１基板３１のうち駆動回路４０よりもシャーシ１４の端部側に形成され、シャーシ１４の短辺方向に沿って配列される複数の磁束結合素子５１とコネクタ５２とからなる。【００４２】
磁束結合素子５１は、各冷陰極管１７に供給される電流量のバランスを調整する機能を有し、当該第１基板３１にはシャーシ１４の短辺方向に沿って８個が直線状に配列されている。一方、コネクタ５２は、駆動回路４０と冷陰極管１７との間の電気的接続を担うものであり、当該第１基板３１にはシャーシ１４の短辺方向に沿って４個が直線状に配列されている。なお、各コネクタ５２は、それぞれ２本の冷陰極管１７の端部と重畳する形で配置されている。当該磁束結合素子５１とコネクタ５２とは、２個の磁束結合素子５１からそれぞれ延びる導電線５１ａ，５１ｂが１個のコネクタ５２に接続されることで通電可能とされている。【００４３】
第１基板３１及び第２基板３２に配された各コネクタ５２からは、２本のハーネス６０が延出しており、その延出端は中継コネクタ１９内においてそれぞれ別個の冷陰極管１７の端部に備わる端子と接続されている。すなわち、一つのコネクタ５２が２本の冷陰極管１７と接続される形とされている。ハーネス６０は送電線としての機能を有しており、駆動回路４０から出力された駆動電力が、磁束結合素子５１、コネクタ５２、ハーネス６０を通じて冷陰極管１７に供給されている。【００４４】
一方、第２基板３２は、その長手方向をシャーシ１４の短辺方向と同じくした形で配置されており、図７に示すように、当該第２基板には調整回路５０ｂが形成されている。より具体的には、第２基板６２のうちシャーシ１４の中央部側の長辺縁部には、第１基板３１に配置されたものと同一の磁束結合素子５１が直線状に１２個配列されている。さらに、磁束結合素子５１よりシャーシ１４の端部側には、第１基板３１に配置されたものと同一のコネクタ５２がシャーシ１４の短辺方向に沿って直線状に６個配列されている。
このように、磁束結合素子５１とコネクタ５２とからなる調整回路５０は、第１基板３１上の調整回路５０ａと第２基板３２上の調整回路５０ｂとに二分されて形成されている。なお、本実施形態では、調整回路５０は、磁束結合素子５１を利用して、複数の冷陰極管１７を流れる２次電流を直列に接続することで光源電流のバランスを確保する回路としているが、例えば磁束結合素子を用いた光源電流の分流トーナメント回路や、バラスト素子配列回路等としても良い。【００４５】
第１基板３１に形成された駆動回路４０から出力された駆動電力は、当該第１基板３１と第２基板３２とを接続する高圧線３３により、第２基板３２の調整回路５０ｂに送電されている。ここで、第１基板３１と第２基板３２とは、僅かな隙間を空けた状態で隣り合って配置されているため、これらを接続する高圧線３３の長さは極短いものとされている。【００４６】
また、第１基板３１は、シャーシ１４の長辺方向の両端部、すなわち冷陰極管１７の一方の端部に重畳した位置と他方の端部に重畳した位置に配置されており、当該２つの第１基板３１に形成された駆動回路４０同士は、図５に示すように、同期信号線４４により接続されている。同期信号線４４は、それぞれの駆動回路４０における電力供給を同期するための信号、具体的には供給電力量や供給タイミングを同期するための信号を送信するものであり、シャーシ１４に接触した状態で引き廻されて配線されている。冷陰極管１７のそれぞれの端部に駆動電力を供給する２つの駆動回路４０同士が、かかる同期信号線４４で接続されていることにより、冷陰極管１７の両端部に所定の規則性をもって駆動電力を供給することが可能となっている。【００４７】
以上のような構成を備えた本実施形態のテレビ受信装置ＴＶ、液晶表示装置１０、バックライト装置１２は、以下のような作用効果を奏する。
本発明に係るバックライト装置１２に備わるインバータ基板３０は、複数の冷陰極管１７間の電流バランスを調整する調整回路５０と、調整回路５０を通じて冷陰極管１７に駆動電力を供給する駆動回路４０とを含んでなり、第１基板３１と、この第１基板３１との間に僅かな隙間を空けて配される第２基板３２とに分割した構成とされている。そして、調整回路５０は、第１基板３１上の調整回路５０ａと第２基板３２上の調整回路５０ｂとに二分して形成され、調整回路５０ａが形成された第１基板３１には、さらに駆動回路４０が形成されてなる。【００４８】
このような構成によれば、調整回路５０ａと駆動回路４０とがともに第１基板３１に設けられているため、両回路５０ａ，４０間の送電を第１基板３１上のパターンを通じて行うことができ、従来両回路５０ａ，４０を接続していた高圧線を省略することが可能となる。さらに、第１基板３１及び第２基板３２は隣接する（僅かに隙間を空けて隣り合う）ものとされているため、第１基板３１上の駆動回路４０と第２基板上３２上の調整回路５０ｂとを接続する高圧線３３も最小限の長さに留めることができる。これにより、高い安全性が確保されるとともに、当該バックライト装置１２を薄型化することで構成部材が比較的密集した状態にされる場合にも、高圧線３３の周囲に設けるべき空間を小さくすることができるため、各構成部材の配置を高い自由度で設計することが可能となる。【００４９】
また、調整回路５０は、複数の冷陰極管１７間の電流バランスを調整する機能を有するものであり、冷陰極管１７の異なる配置パターン（例えば配置数）に対しては、それぞれに対応したパターンに形成された調整回路が必要とされる。本実施形態では、第１基板３１に磁束結合素子５１が８個とコネクタ５２が４個配置され、第２基板３２に磁束結合素子５１が１２個とコネクタ５２が６個配置されている。これらで形成される調整回路５０は、２０個の磁束結合素子５１と１０個のコネクタ５２を備えることとなり、当該調整回路５０により２０本の冷陰極管１７に対応するものとされている。【００５０】
ここで、より大型のバックライト装置１２に対してより多数本（例えば２４本）の冷陰極管１７を配列する構成とする場合には、２４個の磁束結合素子５１と１２個のコネクタ５２を備える調整回路５００を形成する必要がある。ここで、本発明の構成によれば、調整回路５０は第１基板３１と第２基板３２とに二分して形成されてなるため、上記のように配列する冷陰極管１７の本数が変化した場合には、第２基板３２のみを異なるパターンの回路５００ｂが形成された基板３２０に取り替えることで対応することができる。より具体的には、図８に示すように、１６個の磁束結合素子５１と８個のコネクタ５２とからなる調整回路５００ｂが形成された基板３２０を準備し、当該基板３２０を第２基板３２と取り替えることで、２４本の冷陰極管１７に対応する調整回路５００を形成することが可能となる。したがって、調整回路５０ａ及び駆動回路４０が形成された第１基板３１は、当該バックライト装置１２の大きさに拘らず使い回すことができ、コスト削減に寄与することが可能となる。【００５１】
また、本実施形態では、第１基板３１及び第２基板３２は、シャーシ１４のうち冷陰極管１７の端部と重畳する部位に配置されている。
第１基板に形成された駆動回路４０から出力される駆動電力は、第１基板３１及び第２基板３２に備わる磁束結合素子５１、コネクタ５２と、当該コネクタ５２から延びるハーネス６０を通じて冷陰極管１７の端部に備わる端子に供給される。ゆえに、第１基板３１及び第２基板３２が上記したようにシャーシ１４のうち冷陰極管１７の端部と重畳する部位に配置されることにより、冷陰極管１７の各端部と両基板３１，３２との間の距離が最小限のものなる。その結果、ハーネス６０の長さを小さいものとすることができるため、コスト削減に寄与するとともに、ハーネス６０から周囲へのリーク等が生じ難く高い安全性を確保することが可能となる。【００５２】
また、本実施形態では、冷陰極管１７の一方の端部と他方の端部とに重畳した位置にそれぞれ第１基板３１が配置されてなり、それぞれの第１基板３１に形成された駆動回路４０同士は、互いの電力供給を同期するための信号を送信する同期信号線４４により接続されている。
このような構成によれば、二つの第１基板３１にそれぞれ形成された別個の駆動回路４０から出力された駆動電力は、その電力量や供給のタイミング等が所定規則に従って冷陰極管１７のそれぞれの端部に供給されることとなる。例えば、１本の冷陰極管１７の両端部に、等しいタイミングで等しい電力量を供給するよう別個の駆動回路４０を同期することで、当該冷陰極管１７を均一な輝度で点灯することができ、ひいては当該バックライト装置１２の照明輝度分布の均一化を確保することが可能となる。【００５３】
また、本実施形態では、同期信号線４４は、シャーシ１４に接触した状態で引き廻されている。
同期信号線４４は微弱な電流が送電されるものであるため、周囲の部材との間に間隔を設ける必要がなく、シャーシ１４に接触した状態で引き廻すことができる。このように、同期信号線４４は周囲の部材との配置態様を考慮する必要がないため、高い自由度で配線設計をすることが可能となる。【００５４】
＜実施形態２＞
次に、本発明の実施形態２を図９ないし図１５によって説明する。この実施形態２では、インバータ基板に取り付けられるコネクタの配置及び構成を変更したものを示し、その他は前記実施形態と同様である。前記実施形態と同一部分には、同一符号を付して重複する説明を省略する。
まず、インバータ基板７０の構成について図９ないし図１１を用いて説明する。
図９は本実施形態に係るインバータ基板の構成を示す平面図、図１０はインバータ基板のうち第１基板の構成を示す平面図、図１１はインバータ基板のうち第２基板の構成を示す平面図である。【００５５】
インバータ基板７０は、図９に示すように、第１基板３１及び第２基板３２からなり、第１基板３１には駆動回路４０と調整回路８０ａとが形成されている。調整回路８０ａは、シャーシ１４の短辺方向に沿って配列される複数の磁束結合素子５１とコネクタ９０とからなる。磁束結合素子５１は、各冷陰極管１７に供給される電流量のバランスを調整する機能を有し、当該第１基板３１にはシャーシ１４の短辺方向に沿って８個が直線状に配列されている。【００５６】
コネクタ９０は、駆動回路４０と冷陰極管１７との間の電気的接続を担うものであり、一つのコネクタ９０が２本の冷陰極管１７の端部と重畳する形で、４個配置されている。これら複数のコネクタ９０は、図１０に示すように、隣り合うコネクタ９０，９０が、それぞれ第１基板３１の長辺方向（シャーシ１４の長辺方向）に互い違いに位置をずらした形に、つまり一列に並んだ配置ではない形で配列されている。具体的には、一番目のコネクタ９０は第１基板３１の短辺縁部に配置される一方、これと隣り合う二番目のコネクタ９０は、第１基板３１の短辺縁部からちょうどコネクタ９０一個分の幅を空けた形で、当該第１基板３１のより内側に配置されている。さらに、三番目のコネクタ９０は、第１基板３１の短辺縁部、すなわち一番目のコネクタ９０と同列に配置されている。逆に、直線をなす配列線（二番目、四番目、六番目・・・のコネクタ４０がなす配列線）上にある二番目のコネクタ４０に対して、この二番目のコネクタ４０と隣り合う一番目又は三番目のコネクタ４０が、その配列線上からずれて配されていることとなる。【００５７】
このような配置態様を繰り返すことにより、各コネクタ９０は、その両脇に隣り合うコネクタ９０が配置されていない空間を設けた状態で列をなして配置され、隣り合うコネクタ９０同士が、第１基板３１の短辺縁部及びその内側に交互に二つの列をなした形で整列配置されている。言い換えると、隣り合うコネクタ９０同士が、調整基板３２の長辺方向（シャーシ１４の短辺方向）にジグザグをなすようにして配置されている。【００５８】
一方、第２基板３２は、その長手方向をシャーシ１４の短辺方向と同じくした形で配置されており、当該第２基板には調整回路８０ｂが形成されている。より具体的には、図１１に示すように、第２基板３２のうちシャーシ１４の中央部側の長辺縁部には、第１基板３１に配置されたものと同一の磁束結合素子５１が直線状に１２個配列されている。さらに、磁束結合素子５１よりシャーシ１４の端部側には、第１基板３１に配置されたものと同一のコネクタ９０が、第１基板３１と同様に隣り合うコネクタ９０が互い違いに位置をずらした形で６個配列されている。【００５９】
次に、コネクタ９０について、図１２ないし図１５を用いて説明する。
図１２はコネクタを構成する第１コネクタの上面図、図１３は図１２の第１コネクタの側面図、図１４はコネクタを構成する第２コネクタの下面図、図１５は図１４の第２コネクタの側面図である。
コネクタ９０は、第１基板３１及び第２基板３２に固定されている第１コネクタ９１と、当該第１コネクタ９１と着脱可能な第２コネクタ９２とから構成されている。第１コネクタ９１は、全体として樹脂製の略平板状とされ、図１２及び図１３に示すように、２個の磁束結合素子５１からそれぞれ延びる導電線５１ａ，５１ｂが接続される金属製の端子９１ａ，９１ｂを有している。当該端子９１ａ，９１ｂは、二枚の金属板が導電線５１ａ，５１ｂを挟んだ状態で、第１コネクタ９１の平板状面から略垂直に立ち上がるものとされている（図１１参照）。
さらに、第１コネクタ９１のうち、シャーシ１４の長辺方向に指向する両側壁、すなわち列をなして取り付けられた第１コネクタ９１同士の対向する側壁には、後述する第２コネクタ９２の係止部９４が挿入される係止受部９３が設けられている。【００６０】
一方、第２コネクタ９２は、全体として樹脂製の略平板状とされ、図１４及び図１５に示すように、第１コネクタ９１の端子９１ａ，９１ｂが挿着可能な形で窪んでなる金属製の受入端子９２ａ，９２ｂを備えている。すなわち、第１コネクタ９１の端子９１ａ，９１ｂが当該第２コネクタの受入端子９２ａ，９２ｂに挿着されることにより、第１コネクタ９１と第２コネクタ９２とは通電可能な状態となる。【００６１】
さらに、第２コネクタ９２の側壁には、第１コネクタ９１に設けられた係止受部９３に係止される係止部９４が設けられている。係止部９４は、第２コネクタ９２の上面に沿って延出して当該第２コネクタ９２の下面に向けて屈曲してなる平板状の支持部９５と、当該支持部９５の先端に片持ち状に形成された摘み部９６とからなり、支持部９５と摘み部９６との間には第２コネクタ９２の上面方向に開口する溝部９７が形成されている。第２コネクタ９２のうち支持部９５の下端部に対応する部位には略三角形状の突起部９８が形成されており、当該突起部９８と支持部９５との間には開口部９９が形成されている。当該係止部９４は樹脂製とされ、弾性変形可能なものとされている。【００６２】
第１コネクタ９１に第２コネクタ９２を取り付ける作業は、以下のようにして行なわれる。まず、第２コネクタ９２の両係止部９４を指で挟むように把持して、第１基板及３１及び第２基板９２に固定された第１コネクタ９１の上面（図１２参照）と、当該第２コネクタ９２の下面（図１４参照）とが対向する形で保持する。ここで、係止部９４に把持力を加えることにより、以下のような弾性変形が生じる。すなわち、摘み部９６に把持力を加えることで溝部９７を塞ぐような変形が生じ、この変形に伴い支持部９５が第２コネクタ９２の側壁から遠ざかる方向へ変形し、開口部９９の幅が大きくなる。この状態で、第２コネクタ９２を、第１コネクタ９１の上面に略垂直な方向、すなわち第１基板３１及び第２基板３２の基板面に略垂直な方向から当該第１コネクタ９１に近づけていき、第２コネクタ９２の係止部９４を第１コネクタ９１の係止受部９３に挿入する。そして、第２コネクタ９２を把持していた指を離すと、係止部９４の弾性回復が生じて開口部９９の幅が小さくなり、第２コネクタ９２の第１コネクタ９１からの脱落が抑止されるようになり、第１コネクタ９１と第２コネクタ９２との取付作業が完了する。【００６３】
上記した第２コネクタ９２のうち、第１基板３１及び第２基板３２の外縁部側の側面からは、受入端子９２ａ，９２ｂと接続されたハーネス７０が２本延出している。ハーネス７０の延出端は中継コネクタ１９内においてそれぞれ別個の冷陰極管１７の端部に備わる端子と接続されており、１個のコネクタ５２は２本の冷陰極管１７と接続される形とされている。【００６４】
以上のような構成を備えた本実施形態のバックライト装置１２は、以下のような作用効果を奏する。
本実施形態に係るバックライト装置１２に備わるインバータ基板７０には、当該インバータ基板７０と冷陰極管１７との電気的接続状態を形成するための複数のコネクタ９０が取り付けられてなり、当該複数のコネクタ９０は、隣り合う当該コネクタ９０がインバータ基板７０の縁部と当該縁部よりも内側の部位とに互い違いに配列されている。
このように、隣り合うコネクタ９０を互い違いの位置に配列することにより、これらコネクタ９０を一列に配した場合に比して、当該隣り合うコネクタ９０同士の間隔を大きくすることができ、高い作業性及び安全性を確保することが可能となる。【００６５】
当該バックライト装置１２において、冷陰極管１７は、その軸線方向がシャーシ１４の長辺方向に沿った形で当該シャーシ１４の内面側に複数並列されており、これら冷陰極管１７の端部はシャーシ１４の長辺方向の端部と重畳する位置まで及ぶ。これら冷陰極管１７の端部は中継コネクタ１９に接続され、当該中継コネクタ１９からはハーネス５０が延出し、当該ハーネス５０はシャーシ１４の裏面側まで延びるものとされている。一方、シャーシ１４の裏面側には、その長辺方向の端部に、インバータ基板７０が取り付けられ、当該インバータ基板７０のうち、冷陰極管１７の端部と重畳する位置にコネクタ９０が取り付けられ、当該コネクタ９０にハーネス５０の延出端が接続されている。より詳細には、コネクタ９０は、２本の冷陰極管１７の端部と重畳する位置に１つのコネクタ９０が配される態様とされ、さらに、隣り合うコネクタ９０同士が、インバータ基板７０の長辺縁部及びその内側に交互に二つの列をなした形で整列配置されている。すなわち、コネクタ９０は、そのインバータ基板７０の長辺方向（シャーシ１４の短辺方向）における配置位置が、冷陰極管１７の配列位置により決定される。【００６６】
ここで、冷陰極管１７が多数本配置されることで隣り合う冷陰極管１７の間隔が狭くなると、これに伴いインバータ基板７０の限られた範囲（当該インバータ基板７０の長辺方向の長さ相当）に配置されるコネクタ９０間の間隔も狭いものとなる。このように、隣り合うコネクタ９０の間の距離が小さいものとなると、コネクタ９０の取付作業において、隣り合うコネクタ９０同士が干渉することとなり当該作業が困難となるとともに、取り付けられたコネクタ９０間で放電が生じてしまうおそれもある。【００６７】
しかしながら、本発明のように、隣り合うコネクタ９０を互い違いの位置に配列することにより、各コネクタ９０の両脇には、隣のコネクタ９０が配置されていない空間が設けられることとなり、これらコネクタ９０同士の間隔を比較的大きいものとすることができる。その結果、コネクタ９０の取付作業を容易にすることができるとともに、コネクタ９０間の放電を抑止することができ、高い作業性及び安全性を確保することが可能となる。【００６８】
また、本実施形態では、コネクタ９０は、インバータ基板７０に予め取り付けられた第１コネクタ９１と、この第１コネクタ９１に対して、インバータ基板７０の基板面と略垂直な方向に着脱可能な第２コネクタ９２とからなるものとされている。【００６９】
このようなコネクタ９０においては、第１コネクタ９１と第２コネクタ９２とを取り付ける際には、第２コネクタ９２を把持して、第１コネクタ９１に対してインバータ基板７０の基板面と略垂直な方向から近づけていき取付作業を行うこととなる。特に本実施形態では、第２コネクタ９２の側壁に弾性変形を伴って第１コネクタ９１との係止を可能とする係止部９４を備えているため、当該係止部９４を指で挟む形で把持して取付作業を行う必要がある。この場合、隣り合うコネクタ９０の距離が小さいと、第２コネクタ９２を近づけていく際に、先に取り付けた隣のコネクタ９０と、第２コネクタ９２又はそれを把持する指とが干渉して取付作業を阻害することとなる。
しかしながら、本発明のように、隣り合うコネクタ９０をインバータ基板７０に互い違いに配置する構成とすることで、コネクタ９０同士の距離を相対的に大きくすることができ、第１コネクタ９１と第２コネクタ９２との着脱を行う場合にも、隣のコネクタ９０が干渉することなく、容易に作業を行うことが可能となる。【００７０】
＜他の実施形態＞
以上、本発明の実施形態について示したが、本発明は上記記述及び図面によって説明した実施形態に限定されるものではなく、例えば次のような実施形態も本発明の技術的範囲に含まれる。【００７１】
（１）上記した実施形態では、シャーシ１４の長辺方向のそれぞれの端部に配された第１基板及び第２基板同士がシャーシ１４の対角線上に配置されるものとしたが、図１６に示すように、シャーシ１４の一方の長辺側に第１基板３１ｂ同士が配置され、他方の長辺側に第２基板３２ｂ同士が配置される構成としても良い。この場合、二つの第１基板３１ｂを接続する同期信号線４４ｂは、シャーシ１４の長辺縁部を引き廻して配線することが好適である。
ただし、上記実施形態のように第１基板及び第２基板同士をシャーシ１４の対角線上、すなわち点対称となる形で配置するものとすれば、第２基板はもちろん、第１基板も１種類の回路パターンのものをシャーシ１４の両端部において使いまわすことが可能となる。【００７２】
（２）上記した各実施形態２では、コネクタ９０は、バランサー基板の長辺縁部及びその内側に１つずつ交互に配置されて２列をなすものとしたが、本質的にはコネクタ９０が直線をなす配列線上に一列に配置されていなければよく、図１７に示すように、２つずつ交互に配置されて２列をなすコネクタ９０ｂの配置態様も本発明に含まれる。具体的には、一番面のコネクタ９０ｂとこれと隣り合う二番目のコネクタ９０ｂとがバランサー基板の長辺縁部に配置され、二番目のコネクタ９０ｂと隣り合う三番目のコネクタ９０ｂとこれと隣り合う四番目のコネクタ９０ｂとがバランサー基板の長辺縁部より内側に配置されている。これを繰り返すことにより、バランサー基板９０ｂは、２つずつ交互に配置されて２列をなすこととなる。
また、図１８に示すように、２つのコネクタ９０ｃと１つのコネクタ９０ｃとが交互に配置されて２列をなすものとしても良い。具体的には、一番目のコネクタ９０ｃと二番目のコネクタ９０ｃとがバランサー基板の長辺縁部に配置され、二番目のコネクタ９０ｃと隣り合う三番目のコネクタ９０ｃがバランサー基板の長辺縁部より内側に配置されている。これを繰り返すことにより、コネクタ９０ｃは、隣り合う２つのが同列に配置されたのち、これらと隣り合うものが他の列に配置されて２列をなすこととなる。【００７３】
（３）上記した実施形態では、調整回路を第１基板と第２基板とに二分して形成するものとしたが、調整回路の分割態様はこれに限らない。例えば第３基板を用意して調整回路を三分する等、調整回路が少なくとも異なる二つ以上の基板に分割されてなる構成とすれば良い。【００７４】
（４）上記した実施形態では、調整回路が形成された第１基板及び第２基板をシャーシ１４の長辺方向の両端部に配置する構成としたが、両基板はシャーシ１４の長辺方向の一方の端部にのみ配置するものとしても良い。この場合、冷陰極管１７への駆動電力の供給は、当該冷陰極管１７の一方の端部から行われる構成とすることが好適である。【００７５】
（５）上記した実施形態では、光源として冷陰極管１７を使用した場合を示したが、例えば熱陰極管など他の種類の光源を用いたものも本発明に含まれる。
【図１】
2009093363.tif 000003
【図２】
2009093363.tif 000004
【図３】
2009093363.tif 000005
【図４】
2009093363.tif 000006
【図５】
2009093363.tif 000007
【図６】
2009093363.tif 000008
【図７】
2009093363.tif 000009
【図８】
2009093363.tif 000010
【図９】
2009093363.tif 000011
【図１０】
2009093363.tif 000012
【図１１】
2009093363.tif 000013
【図１２】
2009093363.tif 000014
【図１３】
2009093363.tif 000015
【図１４】
2009093363.tif 000016
【図１５】
2009093363.tif 000017
【図１６】
2009093363.tif 000018
【図１７】
2009093363.tif 000019
【図１８】
2009093363.tif 000020
【国際調査報告】
2009093363.tif 000021
2009093363.tif 000022
2009093363.tif 000023
2009093363.tif 000024